(57)【特許請求の範囲】
【請求項１】
外部接続端子にコネクタケーブルが接続されることを検知するケーブル接続検知部と、
前記コネクタケーブルが接続された時点で、前記コネクタケーブルが外部機器と通信可能に接続されているか否かを判断する外部機器接続検知部と、
前記外部機器接続検知部の判断結果に応じて、前記コネクタケーブルが前記外部接続端子に接続されたときの動作を異なるよう制御する動作制御部と、
を備え、
前記動作制御部は、
前記コネクタケーブルが接続された時点で、前記コネクタケーブルが外部機器と通信可能に接続されていない場合であって、その後前記外部機器接続検知部が前記外部機器と通信可能に接続されたと判断した時点で、前記通信可能に接続されたと判断した時点においてユーザに対して提示動作している動作と同じ提示動作が前記外部機器でなされるように前記外部機器への出力を行い、
前記コネクタケーブルが接続された時点で、前記コネクタケーブルが外部機器と通信可能に接続されている場合、ユーザに対して提示動作している動作とは異なる動作が前記外部機器でなされるように前記外部機器への出力を行う
ことを特徴とする電子装置。
【請求項２】
外部接続端子にコネクタケーブルが接続されることを検知するケーブル接続検知部と、
前記コネクタケーブルが接続された時点で、前記コネクタケーブルが外部機器と通信可能に接続されているか否かを判断する外部機器接続検知部と、
前記外部機器接続検知部の判断結果に応じて、前記コネクタケーブルが前記外部接続端子に接続されたときの動作を異なるよう制御する動作制御部と、
を備え、
前記動作制御部は、
前記コネクタケーブルが接続された時点で、前記コネクタケーブルが外部機器と通信可能に接続されていない場合であって、その後前記外部機器接続検知部が前記外部機器と通信可能に接続されたと判断した時点で、前記通信可能に接続されたと判断した時点においてユーザに対して提示動作している動作と異なる提示動作が前記外部機器でなされるように前記外部機器への出力を行い、
前記コネクタケーブルが接続された時点で、前記コネクタケーブルが外部機器と通信可能に接続されている場合、ユーザに対して提示動作している動作と同じ提示動作が前記外部機器でなされるように前記外部機器への出力を行う
ことを特徴とする電子装置。
【請求項３】
外部接続端子にコネクタケーブルが接続されることを検知するケーブル接続検知部と、
前記コネクタケーブルが接続された時点で、前記コネクタケーブルが外部機器と通信可能に接続されているか否かを判断する外部機器接続検知部と、
前記外部機器接続検知部の判断結果に応じて、前記コネクタケーブルが前記外部接続端子に接続されたときの動作を異なるよう制御する動作制御部と、
を備え、
前記動作制御部は、
前記コネクタケーブルが接続された時点で、前記コネクタケーブルが外部機器と通信可能に接続されていない場合であって、その後前記外部機器接続検知部が前記外部機器と通信可能に接続されたと判断した時点で、外部機器へ所定のファイルの表示出力を行い、
前記コネクタケーブルが接続された時点で、前記コネクタケーブルが外部機器と通信可能に接続されている場合、前記ファイルの表示出力とは異なる動作で前記外部機器への出力を行う
ことを特徴とする電子装置。
【請求項４】
外部接続端子にコネクタケーブルが接続されることを検知するケーブル接続検知部と、
前記コネクタケーブルが接続された時点で、前記コネクタケーブルが外部機器と通信可能に接続されているか否かを判断する外部機器接続検知部と、
前記外部機器接続検知部の判断結果に応じて、前記コネクタケーブルが前記外部接続端子に接続されたときの動作を異なるよう制御する動作制御部と、
を備え、
前記動作制御部は、
前記コネクタケーブルが接続された時点で、前記コネクタケーブルが外部機器と通信可能に接続されていない場合であって、その後前記外部機器接続検知部が前記外部機器と通信可能に接続されたと判断した時点で、前記通信可能に接続されたと判断した時点において外部機器へ所定のファイルのアドレスの表示出力を行い、
前記コネクタケーブルが接続された時点で、前記コネクタケーブルが外部機器と通信可能に接続されている場合、前記アドレスの表示出力とは異なる動作で前記外部機器への出力を行う
ことを特徴とする電子装置。
【請求項５】
外部接続端子にコネクタケーブルが接続されることを検知するケーブル接続検知工程と、
前記コネクタケーブルが接続された時点で、前記コネクタケーブルが外部機器と通信可能に接続されているか否かを判断する外部機器接続検知工程と、
前記外部機器接続検知工程の判断結果に応じて、前記コネクタケーブルが前記外部接続端子に接続されたときの動作を異なるよう制御する動作制御工程と
を備え、
前記動作制御工程は、
前記コネクタケーブルが接続された時点で、前記コネクタケーブルが外部機器と通信可能に接続されていない場合であって、その後前記外部機器接続検知工程において、前記外部機器と通信可能に接続されたと判断した時点で、前記通信可能に接続されたと判断した時点においてユーザに対して提示動作している動作と同じ提示動作が前記外部機器でなされるように前記外部機器への出力を行うよう制御し、
前記コネクタケーブルが接続された時点で、前記コネクタケーブルが外部機器と通信可能に接続されている場合、ユーザに対して提示動作している動作とは異なる動作で前記外部機器への出力を行うよう制御する
ことを特徴とする電子機器の動作制御方法。
【発明の詳細な説明】
【技術分野】
【０００１】
本発明は、電子機器及び動作制御方法に係り、例えば、外部機器と接続可能な電子機器及びそのような電子機器の動作制御方法に関する。
【背景技術】
【０００２】
一般的に、ＵＳＢ接続やＨＤＭＩ接続のように、電子機器間をケーブルを使用して接続する場合、両機器の間においては、連係動作を行うためにリンク確立処理がなされることが多い。
【０００３】
本体となる電子機器と外部機器との間の連携動作の技術については各種の技術が提案されている。例えば、携帯端末に接続されるＵＳＢクライアントケーブル、ＵＳＢホストケーブル、オーディオ用の変換ケーブル、この変換ケーブルの先に繋がるイヤホンがつながった時点で検出できると共に、機器の種別を自動検出できる携帯端末が提案されている（例えば、特許文献１参照）。具体的には、制御部は、コネクタ等に繋がる各検出ポートのレベルの変位を割込み処理して、いずれかのケーブルが接続されたことを検出する。制御部の割込みで起動されるケーブル検出機能の割込みプログラムが、各検出ポートのレベルを確認して、どの検出ポートからの割込みであったかを判断して、どのケーブルが挿されたかを検出する。
【先行技術文献】
【特許文献】
【０００４】
【特許文献１】特開２０１０−２５１８５９号公報
【発明の概要】
【発明が解決しようとする課題】
【０００５】
ところで、特許文献１に開示の技術では、接続する対象が変わったことを検出しているが、どのような動作をするかに関しては開示がない。つまり、単純に接続機器を判定しているのみであって、その後の動作については、一般的な自動再生やフォルダの表示等をすることが想定されるだけであった。そこで、ケーブル接続後の動作について、連係動作とユーザの利便性が向上する技術が求められていた。
【０００６】
本発明は以上のような状況に鑑みなされたものであって、上記課題を解決する技術を提供することを目的とする。
【課題を解決するための手段】
【０００７】
本発明の電子装置は、外部接続端子にコネクタケーブルが接続されることを検知するケーブル接続検知部と、前記コネクタケーブルが接続された時点で、前記コネクタケーブルが外部機器と通信可能に接続されているか否かを判断する外部機器接続検知部と、前記外部機器接続検知部の判断結果に応じて、前記コネクタケーブルが前記外部接続端子に接続されたときの動作を異なるよう制御する動作制御部と、を備え、前記動作制御部は、前記コネクタケーブルが接続された時点で、前記コネクタケーブルが外部機器と通信可能に接続されていない場合であって、その後前記外部機器接続検知部が前記外部機器と通信可能に接続されたと判断した時点で、前記通信可能に接続されたと判断した時点においてユーザに対して提示動作している動作と同じ提示動作が前記外部機器でなされるように前記外部機器への出力を行い、前記コネクタケーブルが接続された時点で、前記コネクタケーブルが外部機器と通信可能に接続されている場合、ユーザに対して提示動作している動作とは異なる動作が前記外部機器でなされるように前記外部機器への出力を行う。
本発明の電子装置は、外部接続端子にコネクタケーブルが接続されることを検知するケーブル接続検知部と、前記コネクタケーブルが接続された時点で、前記コネクタケーブルが外部機器と通信可能に接続されているか否かを判断する外部機器接続検知部と、前記外部機器接続検知部の判断結果に応じて、前記コネクタケーブルが前記外部接続端子に接続されたときの動作を異なるよう制御する動作制御部と、を備え、前記動作制御部は、前記コネクタケーブルが接続された時点で、前記コネクタケーブルが外部機器と通信可能に接続されていない場合であって、その後前記外部機器接続検知部が前記外部機器と通信可能に接続されたと判断した時点で、前記通信可能に接続されたと判断した時点においてユーザに対して提示動作している動作と異なる提示動作が前記外部機器でなされるように前記外部機器への出力を行い、前記コネクタケーブルが接続された時点で、前記コネクタケーブルが外部機器と通信可能に接続されている場合、ユーザに対して提示動作している動作と同じ提示動作が前記外部機器でなされるように前記外部機器への出力を行う。
本発明の電子装置は、外部接続端子にコネクタケーブルが接続されることを検知するケーブル接続検知部と、前記コネクタケーブルが接続された時点で、前記コネクタケーブルが外部機器と通信可能に接続されているか否かを判断する外部機器接続検知部と、前記外部機器接続検知部の判断結果に応じて、前記コネクタケーブルが前記外部接続端子に接続されたときの動作を異なるよう制御する動作制御部と、を備え、前記動作制御部は、前記コネクタケーブルが接続された時点で、前記コネクタケーブルが外部機器と通信可能に接続されていない場合であって、その後前記外部機器接続検知部が前記外部機器と通信可能に接続されたと判断した時点で、外部機器へ所定のファイルの表示出力を行い、前記コネクタケーブルが接続された時点で、前記コネクタケーブルが外部機器と通信可能に接続されている場合、前記ファイルの表示出力とは異なる動作で前記外部機器への出力を行う。
本発明の電子装置は、外部接続端子にコネクタケーブルが接続されることを検知するケーブル接続検知部と、前記コネクタケーブルが接続された時点で、前記コネクタケーブルが外部機器と通信可能に接続されているか否かを判断する外部機器接続検知部と、前記外部機器接続検知部の判断結果に応じて、前記コネクタケーブルが前記外部接続端子に接続されたときの動作を異なるよう制御する動作制御部と、を備え、前記動作制御部は、前記コネクタケーブルが接続された時点で、前記コネクタケーブルが外部機器と通信可能に接続されていない場合であって、その後前記外部機器接続検知部が前記外部機器と通信可能に接続されたと判断した時点で、前記通信可能に接続されたと判断した時点において外部機器へ所定のファイルのアドレスの表示出力を行い、前記コネクタケーブルが接続された時点で、前記コネクタケーブルが外部機器と通信可能に接続されている場合、前記アドレスの表示出力とは異なる動作で前記外部機器への出力を行う。
本発明の電子装置の動作制御方法は、外部接続端子にコネクタケーブルが接続されることを検知するケーブル接続検知工程と、前記コネクタケーブルが接続された時点で、前記コネクタケーブルが外部機器と通信可能に接続されているか否かを判断する外部機器接続検知工程と、前記外部機器接続検知工程の判断結果に応じて、前記コネクタケーブルが前記外部接続端子に接続されたときの動作を異なるよう制御する動作制御工程とを備え、前記動作制御工程は、前記コネクタケーブルが接続された時点で、前記コネクタケーブルが外部機器と通信可能に接続されていない場合であって、その後前記外部機器接続検知工程において、前記外部機器と通信可能に接続されたと判断した時点で、前記通信可能に接続されたと判断した時点においてユーザに対して提示動作している動作と同じ提示動作が前記外部機器でなされるように前記外部機器への出力を行うよう制御し、前記コネクタケーブルが接続された時点で、前記コネクタケーブルが外部機器と通信可能に接続されている場合、ユーザに対して提示動作している動作とは異なる動作で前記外部機器への出力を行うよう制御する。
【発明の効果】
【０００８】
本発明によれば、電子機器同士が接続される場合に、ケーブル接続後の動作について、連係動作とユーザの利便性が向上する技術を提供することができる。
【図面の簡単な説明】
【０００９】
【図１】実施形態に係る、主要機器及び外部機器の連係動作を説明する図である。
【図２】実施形態に係る、主要機器と外部機器の機能ブロック図である。
【図３】実施形態に係る、主要機器及び外部機器のケーブルによる接続時の動作例示すフローチャートである。
【図４】実施形態に係る、主要機器及び外部機器のＵＳＢケーブルによる接続時の動作例示すフローチャートである。
【図５】実施形態に係る、主要機器及び外部機器のＨＤＭＩケーブルによる接続時の動作例示すフローチャートである。
【図６】従来技術に係る、主要機器及び外部機器の連係動作を説明する図である。
【図７】実施形態の変形例に係る、主要機器におけるケーブル接続の有無に応じた動作を説明する図である。
【図８】実施形態の変形例に係る、主要機器及び外部機器のケーブルによる接続時の動作例示すフローチャートである。
【発明を実施するための形態】
【００１０】
次に、本発明を実施するための形態（以下、単に「実施形態」という）を、図面を参照して具体的に説明する。
【００１１】
図１は、本実施形態に係る主要機器１０及び外部機器５０の連係動作を説明する図である。主要機器１０と外部機器５０とはケーブル９０で接続可能である。ケーブル９０はＵＳＢケーブルやＨＤＭＩケーブルである。つまり、主要機器１０と外部機器５０とは、ＵＳＢ規格やＨＤＭＩ規格によって通信可能に接続される。
【００１２】
主要機器１０や外部機器５０は、液晶テレビやＰＤＡ、ＤＶＤプレーヤ、携帯電話などで、上記のＵＳＢ規格やＨＤＭＩ規格によって通信可能な機能を搭載した機器である。
【００１３】
そして、従来通りの動作例では、図６（ａ）及び（ｂ）に示すように、ケーブル９０が主要機器１０または外部機器５０のどちらに先に接続されても、動作Ａが実行された。
【００１４】
一方で、図１（ａ）に示すように、ケーブル９０が外部機器５０にあらかじめ接続された状態で、主要機器１０と外部機器５０とがケーブル９０で接続されると、主要機器１０は、動作Ａを実行する。一方、図１（ｂ）に示すように、ケーブル９０が主要機器１０にあらかじめ接続された状態で、主要機器１０と外部機器５０とがケーブル９０で接続されると、主要機器１０は、動作Ａとは異なる動作Ｂを実行する。例えば、主要機器１０がＰＤＡであり外部機器５０が液晶テレビであり、さらに主要機器１０ではゲームが実行されその映像が表示されている場合を想定する。
【００１５】
ここでは動作Ａは、主要機器１０で実行中のゲームの映像をケーブル９０で外部機器５０へ出力する動作となる。つまり、主要機器１０と外部機器５０の両方に、同じ映像が表示される。言い換えると、主要機器１０で提示動作している動作と同じ提示動作が外部機器５０で行われる。一方、動作Ｂでは、ゲームの映像ではなく、ゲームの取扱説明書の映像（ファイル）が出力される。つまり、主要機器１０では、動作中のゲームが表示され、外部機器５０では、そのゲームの取扱説明書が表示される。より具体的には、外部機器５０をアプリケーション専用として利用し、主要機器１０に表示している画面に関連する取扱説明書やトラブルシューティング等の画面が表示される。また、動作Ａ及びＢの例として、次の動作がある。つまり、動作Ａの処理は外部機器５０の中にあるファイルを再生し、動作Ｂの処理は外部機器５０と主要機器１０のファイルの同期をとる。
【００１６】
図２は、ケーブル９０で接続される主要機器１０と外部機器５０の概略構成を示す機能ブロック図である。ここでは、ケーブル９０との連動に着目して示しており、それ以外の機能に関しては適宜省略している。
【００１７】
図示のように、主要機器１０は、制御回路１１と表示回路１２と、表示部１３と、通信回路１４と、記憶装置１５と、挿入検出端子付きコネクタ２０とを備える。
【００１８】
制御回路１１は、各構成要素を統括的に制御すると共に、コンテンツの再生制御等を実行したり、ボタン等の操作インタフェイス（図示せず）からのユーザ指示を取得し所望の動作を行ったりする。また、後述の挿入検出回路２１からのケーブル９０の接続検知情報を取得して、ケーブル９０の接続順に応じた動作（図１の動作ＡまたはＢ）を行う。
【００１９】
表示部１３は例えば液晶パネルである。また、表示回路１２は表示部１３に表示する映像信号を出力する駆動ドライバを有する。記憶装置１５は、ＲＯＭやＲＡＭ、外部メモリであって、各種動作の作業領域として機能したり、データ等を記録・保持する。
【００２０】
通信回路１４は、外部機器５０等との通信機能を実行するものであって、例えば、ＵＳＢインタフェイスやＨＤＭＩインタフェイス、ＬＡＮインタフェイス等を備える。挿入検出端子付きコネクタ２０は、上述のインタフェイスに準拠した端子であって、ケーブル９０が接続されたことを検知する機能を備える。挿入検出回路２１は、挿入検出端子付きコネクタ２０でケーブル９０が接続されたことを検知する。なお、主要機器１０は、挿入検出端子付きコネクタ２０のほかに、接続検知機能を備えない一般的なコネクタを備え、通信回路１４によって通信制御される機能を備えている。
【００２１】
つぎに、外部機器５０は、制御回路５１と、表示回路５２と、表示部５３と、通信回路５４と、記憶装置５５と、コネクタ６０とを備える。
【００２２】
制御回路５１は、各構成要素を統括的に制御する。表示部５３は例えば液晶パネルである。また、表示回路５２は表示部５３に表示する映像信号を出力する駆動ドライバを有する。記憶装置５５は、ＲＯＭやＲＡＭ、外部メモリであって、各種動作の作業領域として機能したり、データ等を記録・保持する。
【００２３】
通信回路１４は、外部機器５０等との通信機能を実行するものであって、例えば、ＵＳＢインタフェイスやＨＤＭＩインタフェイス、ＬＡＮインタフェイス等を備える。コネクタ６０は、上述のインタフェイスに準拠した端子であり、ケーブル９０が接続される。
【００２４】
つづいて、図３のフローチャートを参照して、主要機器１０及び外部機器５０のケーブル９０による接続時の動作例について説明する。
【００２５】
主要機器１０では、制御回路１１が挿入検出回路２１の検出結果をもとに、挿入検出端子付きコネクタ２０にケーブル９０が接続されているか否かを検出するとともに（Ｓ１０）、「状態Ａ」フラグを無効とする初期化処理を行う（Ｓ１１）。
【００２６】
ケーブル９０が接続されていると、制御回路１１は、外部機器５０との接続状態にあるか否かを判断する（Ｓ１２）。外部機器５０との接続状態は、通信可能であるか否かによって判断される。外部機器５０が接続されていない場合（Ｓ１２のＮ）、制御回路１１は、「状態Ａ」フラグを有効に設定し記録する（Ｓ１３）。
【００２７】
外部機器５０と接続されていると判断すると（Ｓ１２のＹ）、制御回路１１は、「状態Ａ」フラグの有無を確認する（Ｓ１４）。
【００２８】
Ｓ１４において「状態Ａ」フラグが有効であるとは、ケーブル９０が外部機器５０より先に主要機器１０に接続された状態であることが示している。逆に、「状態Ａ」フラグが無効であるとは、ケーブル９０が外部機器５０より後に主要機器１０に接続された状態であることが示している。
【００２９】
「状態Ａ」フラグが無効の場合（Ｓ１４のＮ）、従来通り、制御回路１１は、主要機器１０での動作を継続し、通信回路１４及び挿入検出端子付きコネクタ２０からケーブル９０を介して外部機器５０へ出力処理、つまり、動作Ａを行う（Ｓ１５）。
【００３０】
「状態Ａ」フラグが有効である場合（Ｓ１４のＹ）、特定情報の表示を実行する（Ｓ１６）。つまり、制御回路１１は、動作Ｂを実行する。このように、ケーブル９０の接続順に応じて、主要機器１０は実行する動作を別の動作とすることができる。つまり、例えばリモコンに専用のボタンを設けることなく、「主要機器１０が保有する電子取扱説明書を外部機器へ表示させる」のような特定の操作を行うことができる。上記により、コストダウンを図ることができる。また、ユーザがリモコンを操作する手間を省くことができる。また、画面上での操作を行うことなく特定動作が提供できる。
【００３１】
図４に、図３のフローチャートのより具体的な例として、ケーブル９０としてＵＳＢケーブルを用いて、主要機器１０と外部機器５０とをＵＳＢ接続したときのフローチャートを示す。ここでは、動作Ｂに対応する処理（上述のＳ１６の処理）をより詳細に説明し、それ以外の処理については同様なので説明を適宜省略する。
【００３２】
「状態Ａ」フラグが有効であり場合（Ｓ１４のＹ）、制御回路１１は、動作Ｂの動作を実行する（Ｓ２１〜Ｓ２３）。つまり、制御回路１１は、通信回路１４、挿入検出端子付きコネクタ２０及びケーブル９０を介して外部機器５０に対して主要機器１０がＵＳＢ対応ディバイスである旨を通知する（Ｓ２１）。つづいて、制御回路１１は、指定ファイルのみ（例えば、「目次」項目）を含むフォルダを外部に公開する（Ｓ２２）。つまり、例えば、主要機器１０が保有する電子取扱説明書が主要機器１０からアクセス可能となる。外部機器５０では、制御回路５１が電子取扱説明書を主要機器１０から取得して表示部５３に表示する（Ｓ２３）。なお、電子取扱説明書の映像データが主要機器１０から外部機器５０へ出力されてもよい。
【００３３】
図５に、図３のフローチャートのより具体的な別の例として、ケーブル９０としてＨＤＭＩケーブルを用いて、主要機器１０と外部機器５０とをＨＤＭＩ接続したときのフローチャートを示す。ここでは、動作Ｂに対応する処理（上述のＳ１６の処理）をより詳細に説明し、それ以外の処理については同様なので説明を適宜省略する。
【００３４】
「状態Ａ」フラグが有効であることを確認し（Ｓ１４のＹ）、制御回路１１は、動作Ｂの動作を実行する（Ｓ３１〜Ｓ３５）。具体的には、制御回路１１は、ＨＤＭＩ出力ポートであるか否かを判断する（Ｓ３１）。ＨＤＭＩ出力ポートである場合（Ｓ３１のＹ）、制御回路１１は、指定ファイルを記憶装置１５から読み出して、ＨＤＭＩ出力ポートから出力を行う（Ｓ３２）。出力されたファイルは、外部機器５０の表示部５３に表示される（Ｓ３４）。
【００３５】
ＨＤＭＩ出力ポートでない場合（Ｓ３１のＮ）、制御回路１１は、ＣＥＣ通信等によって、指定ファイルの所在を外部機器５０に通知し、図示しない外部ネットワークを経由して指定ファイルの読み出し及び表示を行うように指示する（Ｓ３５）。指定ファイルの所在とは、例えば、ＵＲＬ等の所在場所を示すアドレスがある。
【００３６】
以上、本実施形態によると、ケーブル９０の接続順序を検出することにより、接続順序に対応させて適宜動作を切り替える技術を実現できる。つまり、主要機器１０と外部機器５０との接続に関して、ケーブル９０の接続に関する優先順位を設定し、異なる動作を実行可能とすることができる。言い換えると、電子機器同士（主要機器１０と外部機器５０等）をケーブル９０にて接続する場合、従来では接続順序を判定することができなかった。しかし、本実施形態では、ケーブル９０の挿入順序を検出し、つまり、ケーブル９０が外部機器５０側に先に接続されたか、本体機器（主要機器１０）側に先に接続されたかに応じて、主要機器１０はケーブル接続に対応して実行する動作を変更することができる。
【００３７】
なお、本実施形態では、主要機器１０と外部機器５０とを直接ケーブル９０で接続したケースについて例示したが、これに限る趣旨ではない。例えば、主要機器１０と外部機器５０とを接続するケーブル９０の中間を解放し、そこに無線インタフェイスを備えた変換アダプタを配置する接続構成を採用してもよい。より具体的には、ケーブル９０の一方の端子に主要機器１０が接続され、他方の端子には無線ＬＡＮやＢｌｕｅＴｏｏｔｈ（登録商標）といった無線インタフェイスのアダプタが接続される。そして、例えば、ＢｌｕｅＴｏｏｔｈ（登録商標）接続において、接続可能なアダプタ（機器）を検索する場合に、主要機器１０と外部機器５０のいずれかから検索を行ったかによって、検索（接続）後の動作を変更してもよい。また、別のケーブル９０の一方の端子に外部機器５０が接続され、他方の端子には、同様に無線ＬＡＮやＢｌｕｅＴｏｏｔｈ（登録商標）といった無線インタフェイスのアダプタが接続される。なお、直接無線インタフェイスのアダプタが接続される構成が採用されてもよい。
【００３８】
また、端子規格の異なる信号の接続を可能とする信号変換アダプタがケーブル９０に接続されてもよい。例えば、主要機器１０がＨＤＭＩコネクタを備え、外部機器５０がＵＳＢコネクタを有する場合、ケーブル９０の一方の端子に、ＨＤＭＩ／ＵＳＢ変換アダプタが接続される。
【００３９】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【００４０】
図７は、本変形例に係る主要機器１０におけるケーブル接続の有無に応じた動作を説明する図である。また、図８は本変形例に係る、主要機器及び外部機器のケーブルによる接続時の動作を例示するフローチャートである。図８のフローチャートは、図３のフローチャートの処理に追加処理を施したものである。なお、主要機器１０の構成については、実施形態と同様の構成で実現できるので、説明は省略し、主に異なる動作について説明する。
【００４１】
本実施形態の主要機器１０では、例えば図７（ａ）に示すように、ケーブル９０が未接続の状態であれば、表示部１３は「未接続」の文字を表示する。また、図７（ｂ）に示すように、ケーブル９０が外部機器５０より先に主要機器１０に接続された状態、つまり「状態Ａ」であれば、表示部１３はその旨を文字で表示する。さらに、図７（ｃ）に示すように、表示部１３は、外部機器５０と接続中である旨を示す「機器接続中」の文字を表示する。表示部１３による上記文字表示は、制御回路１１によって制御される。
【００４２】
図８のフローチャートに示すように、表示部１３における上記表示は次のタイミングである。すなわち、外部機器５０の接続がなく（Ｓ１２のＮ）、「状態Ａ」フラグが有効とする動作（Ｓ１３）の後、表示部１３が「未接続」の文字を表示する（Ｓ１３ａ）。また、外部機器５０の接続があり（Ｓ１２のＹ）、「状態Ａ」フラグがある場合（Ｓ１４のＹ）、表示部１３が「接続無し」の文字を表示する（Ｓ１４ａ）。さらに、外部機器５０の接続があり（Ｓ１２のＹ）、「状態Ａ」フラグがない場合（Ｓ１４のＮ）、表示部１３が「機器接続中」の文字を表示する（Ｓ１４ｂ）。なお、「接続無し」の文字を表示する処理（Ｓ１４ａ）や、「機器接続中」の文字を表示する処理（Ｓ１４ｂ）を行わずに、「未接続」の文字を表示する処理（Ｓ１３ａ）のみがなされてもよい。
【００４３】
本変形例のような動作を行うようにすることで、ユーザは、主要機器１０の処理動作状態が現在どのようであるか確認することができる。つまり、ユーザは、端子への接続によってどのような操作が発生するか識別が容易となる。
【００４４】
なお、表示部１３での文字による通知の代わりに、ＬＥＤライト等を用いて、その点灯状態（色、点滅等）によって、上述の「未接続」の状態や「状態Ａ」等がユーザに提示されるようにしてもよい。また、上記動作の追加は、図３のフローチャートの動作に限らず、図４や図５に示したフローチャートの動作に適用することができる。
【符号の説明】
【００４５】
１０  主要機器
１１  制御回路
１２  表示回路
１３  表示部
１４  通信回路
１５  記憶装置
２０  挿入検出端子付きコネクタ
２１  挿入検出回路
５０  外部機器
５１  制御回路
５２  表示回路
５３  表示部
５４  通信回路
５５  記憶装置
６０  コネクタ
９０  ケーブル
【図１】
0005301022.tif 000002
【図２】
0005301022.tif 000003
【図３】
0005301022.tif 000004
【図４】
0005301022.tif 000005
【図５】
0005301022.tif 000006
【図６】
0005301022.tif 000007
【図７】
0005301022.tif 000008
【図８】
0005301022.tif 000009